【手続補正書】
【提出日】平成15年11月27日(2003.11.27)
【手続補正１】
【補正対象書類名】明細書
【補正対象項目名】全文
【補正方法】変更
【補正の内容】
【発明の名称】遊技機用前枠
【特許請求の範囲】
【請求項１】四角く枠組みした外枠の前面に装着される合成樹脂製の遊技機用前枠であって、木製の前枠のコーナーをカバーするカバー部材に対応させて前記外枠のコーナー部分の表側に設けられている凹部に対し、その凹部に嵌まり合う凸部を自己のコーナー部分の裏側に設けてなることを特徴とする遊技機用前枠。
【請求項２】前記凸部が着脱自在であることを特徴とする請求項１記載の遊技機用前枠。
【発明の詳細な説明】
【０００１】
【発明の属する技術分野】
本発明は、パチンコ機などの遊技機に使用する前枠に関する。
【０００２】
【従来の技術】
従来の前枠を遊技機たるパチンコ機を例示して図４，図６により説明する。パチンコ機Ｐは、四角く枠組みした外枠１Ａと、その外枠１Ａ前面に装着した前枠２Ａとから概略構成される。前枠２Ａは、木製の前枠本体２０に球皿３や装飾ランプ４などの各種部品を組み付けたもので、図４において左側の上下コーナー部分に設けたヒンジ金具５，５で外枠１Ａ前面に取り付けられており、そのヒンジ金具５を中心にしてドア状に回動し得る。一方、前枠２Ａの非ヒンジ側の上下コーナー部分には合成樹脂製のカバー部材６Ａが固着されている。このカバー部材６Ａは、前枠本体２０の前面を構成する合成樹脂製の化粧板２１を保護（割れの防止）するとともに、その化粧板２１の鋭いエッジで怪我をしないようにするためのものである。
【０００３】
【発明が解決しようとする課題】
従来の前枠２Ａは、前記カバー部材６Ａの後片が前枠本体２０の裏面に被さってその肉厚分だけ高くなっているため、図６に示したように、外枠１Ａのコーナー部分に凹部１０を形成してそこにカバー部材６Ａの後片が収まるようにしてある。
【０００４】
しかして、従来は木製の前枠２Ａで統一されていたが、近年、合成樹脂製の前枠と木製の前枠２Ａとが混在する状況になっている。言うまでもなく、木製の前枠２Ａと合成樹脂製の前枠は外枠の形状を統一して互いに互換性を持たせることが望ましいのであるが、現状は、前記カバー部材６Ａの存在が障害となって、木製の前枠２Ａと合成樹脂製の前枠とで使用する外枠の形状が異なる。すなわち、木製の前枠２Ａには前記カバー部材６Ａが必須であるため、対応する外枠１Ａには前記のようにコーナー部分に凹部１０が設けられているが、合成樹脂製の前枠にはカバー部材が不要であるため、対応する外枠には図６の凹部１０が設けられていない。従って、木製の前枠２Ａに対応する外枠１Ａに合成樹脂製の前枠を取り付けるとコーナー部分に凹部１０の隙間が出来る不具合があった。
【０００５】
【課題を解決するための手段】
四角く枠組みした外枠の前面に装着される合成樹脂製の遊技機用前枠であって、木製の前枠のコーナーをカバーするカバー部材に対応させて前記外枠のコーナー部分の表側に設けられている凹部に対し、その凹部に嵌まり合う凸部を自己のコーナー部分の裏側に設けてなる遊技機用前枠を提供する。
【０００６】
木製の前枠に対応する外枠に本発明の遊技機用前枠を装着すると、木製の前枠のコーナーをカバーするカバー部材に対応させて前記外枠のコーナー部分の表側に設けられている凹部に凸部が嵌まるため無用の隙間が生じない。従って木製の前枠仕様の外枠に合成樹脂製の前枠を装着することができる。
【０００７】
【発明の実施の形態】
以下に本発明の実施の形態をパチンコ機を例示して説明する。なお、図１は前枠の要部を示す裏側から見た分解斜視図、図２はパチンコ機を表側から見た要部の斜視図、図３は要部の拡大縦断面図、図４はパチンコ機の正面図、図５は合成樹脂製前枠の裏側斜視図である。
【０００８】
まず合成樹脂製の前枠と木製の前枠とで外枠の共通化を達成するために採りうる本発明の実施形態以外の手段について説明する。
前記のようにパチンコ機Ｐは、四角く枠組みした外枠１Ｂと、その外枠１Ｂ前面に装着した前枠２Ｂとから概略構成される。図示した外枠１Ｂは木製であるが合成樹脂製であっても構わない。前枠２Ｂは、木製の前枠本体２０に球皿３や装飾ランプ４など必要な部品を組み付けたもので、図４において左側の上下コーナー部分に設けたヒンジ金具５で外枠１Ｂ前面に取り付けられており、そのヒンジ金具５を中心にしてドア状に回動し得る。また、図１に示したように前枠本体２０の非ヒンジ側の上下コーナー部分の裏側には後述するカバー部材６Ｂを取り付けるための凹段部７が形成されている。この凹段部７は、カバー部材６Ｂの後片６０ｃが収まる広さで、且つ、その後片６０ｃの肉厚より大きい深さに設定してある。
【０００９】
前枠本体２０の非ヒンジ側の上下コーナー部分には合成樹脂製のカバー部材６Ｂが取り付けられている。このカバー部材６Ｂは、直角の鍵状に折れ曲がった側片６０ａと、直角二等辺三角形を基本形としその底辺を若干変形させた形状の前片６０ｂ及び後片６０ｃとからなり、前枠本体２０のコーナー部分に嵌めた状態でそのコーナー部分の前後の二面を前片６０ｂと後片６０ｃで覆い、側端の二面を側片６０ａで覆う。そして、カバー部材６Ｂは、後片６０ｃにステープル８を打ち込んで前枠本体２０のコーナー部分に止められる。
【００１０】
なお、カバー部材６Ｂは、前片６０ｂと後片６０ｃが同一形状であるため、どちら向きでも使用することができる。そうすることにより、第一にカバー部材６の向きを取り違えるおそれがなくなり、作業中一々確認しなくてもよいため、カバー部材６を取り付ける作業の能率が飛躍的に向上し、第二に部品の製造及びストックの管理が行いやすくなる、などの効果を発揮する。
【００１１】
しかして前枠２Ｂは、カバー部材６Ｂの後片６０ｃが凹段部７の中に収まっているため、前枠本体２０の裏面とカバー部材６Ｂの後片６０ｃとがほぼ面一になる。従って、図２，図３に示したように、対応する外枠１Ｂのコーナー部分も外枠１Ａのような凹部１０（図６参照）が無くなって平坦になる。このように凹部１０のない外枠１Ｂは合成樹脂製の前枠に対応する外枠と同一形状であるから、カバー部材を有する前枠と有しない前枠同士で外枠の共通化が可能になる。
【００１２】
次ぎに本発明の実施形態について説明する。本発明の合成樹脂製の前枠２Ｃは、図５に示したように、外枠１Ａの凹部１０（図６参照）に嵌まる凸部２００を自己のコーナー部分の裏側に形成してなる。この場合は、統一される外枠に凹部１０が必要である。こうすることによって合成樹脂製の前枠と木製の前枠同士で外枠の共通化が可能になる。なお、合成樹脂製の前枠２Ｃに前記凸部２００を形成した場合には、凹部１０付きの外枠１Ａが大部分であるような古い遊技場に対してもそのまま合成樹脂製の前枠２Ｃが使用できるメリットがある。また、凸部２００を着脱式にしておけば、どちらのタイプの外枠１Ａ，１Ｂに対しても合成樹脂製の前枠２Ｃを装着することが可能である。
【００１３】
以上本発明を実施の形態により説明したが、もちろん本発明は上記実施形態に限定されるものではない。例えば、遊技機としてパチンコ機を例示したが、本発明は球を弾いて遊技するいわゆる弾球遊技機以外の遊技機にも適用可能である。また、カバー部材６Ｂは、非ヒンジ側のコーナー部分以外にヒンジ側のコーナー部分に取り付けることもできる。この場合はヒンジ側のコーナー部分の裏側にも凹段部７を形成する。
【００１４】
【発明の効果】
木製の前枠に対応する外枠に本発明の遊技機用前枠を装着すると、木製の前枠のコーナーをカバーするカバー部材に対応させて前記外枠のコーナー部分の表側に設けられている凹部に凸部が嵌まるため無用の隙間が生じない。従って木製の前枠仕様の外枠に合成樹脂製の前枠を装着することができる。
また、請求項２のように前記凸部を着脱式にしておけば、どちらのタイプの外枠に対しても合成樹脂製の前枠の装着が可能になる。
【図面の簡単な説明】
【図１】前枠の要部を示す裏側から見た分解斜視図である。
【図２】パチンコ機を表側から見た要部の斜視図である。
【図３】要部の拡大縦断面図である。
【図４】パチンコ機の正面図である。
【図５】合成樹脂製前枠の裏側斜視図である。
【図６】従来技術を示すもので、パチンコ機を表側から見た要部の斜視図である。
【符号の説明】
１Ａ  …外枠
２Ｃ  …前枠
２００…凸部
６Ｂ  …カバー部材
１０  …凹部